(57)【要約】      （修正有）【課題】希釈前後で適度な粘度と透明外観を有する濃縮型の液体洗浄剤組成物の提供。【解決手段】（Ａ）一般式（１）で表される化合物０．５〜５重量％、（Ｂ）陰イオン界面活性剤１０〜４０重量％、（Ｃ）両性界面活性剤及び非イオン界面活性剤から選択される少なくとも一種を合計で０．５〜１０重量％、（Ｄ）可溶化剤０．１〜１５重量％と、を必須成分として含有する液体洗浄剤組成物。2015166409.tif 000007（ＲはＣ６〜１８のアルキル基又はアルケニル基；Ａ１Ｏ及びＡ２Ｏは各々同一又は異なって、Ｃ２〜４の直鎖又は分岐鎖を有するオキシアルキレン基；ｍ及びｎはアルキレンオキサイドの平均付加モル数、独立して０〜５の数、ｍ＋ｎは１〜５の数）【選択図】なし【特許請求の範囲】
【請求項１】
濃縮型の液体洗浄剤組成物であって、
（Ａ）一般式（１）で表される化合物０．５〜５重量％と、
（Ｂ）陰イオン界面活性剤１０〜４０重量％と、
（Ｃ）両性界面活性剤及び非イオン界面活性剤からなる群より選択される少なくとも一種を合計で０．５〜１０重量％と、
（Ｄ）可溶化剤０．１〜１５重量％とを必須成分として含有することを特徴とする液体洗浄剤組成物。
【化１】
2015166409.tif 000006
式中、Ｒは炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。
【請求項２】
前記（Ｂ）陰イオン界面活性剤が、アルキルベンゼンスルホン酸塩、α−スルホ脂肪酸エステル塩、アルカンスルホン酸塩、α−オレフィンスルホン酸塩、アルキル硫酸塩、アルキルスルホコハク酸塩、ポリオキシアルキレンアルキルエーテル硫酸エステル塩、ポリオキシアルキレンアルケニルエーテル硫酸エステル塩、ポリオキシアルキレンアルキルエーテルカルボン酸塩及びポリオキシアルキレンアルケニルエーテルカルボン酸塩からなる群より選択された少なくとも一種である請求項１に記載の液体洗浄剤組成物。
【請求項３】
前記（Ｃ）両性界面活性剤及び非イオン界面活性剤からなる群から選択される少なくとも一種が、炭素数８〜１８のアルキルアミドプロピルアミンオキサイド、炭素数８〜１８のアルキルアミンオキサイド、炭素数８〜１８のアルキルアミドプロピルベタイン、炭素数８〜１８のアルキルベタイン及びアルキル（ポリ）グルコシドからなる群から選択される少なくとも一種である請求項１又は２に記載の液体洗浄剤組成物。
【請求項４】
前記（Ｄ）可溶化剤が、キシレンスルホン酸、トルエンスルホン酸、クメンスルホン酸、安息香酸、クエン酸、リンゴ酸、酒石酸、乳酸、炭素数６〜１０の直鎖脂肪族カルボン酸、炭素数６〜１０の分岐脂肪族カルボン酸及びこれらの塩からなる群から選択される少なくとも一種である請求項１〜３のいずれかに記載の液体洗浄剤組成物。
【請求項５】
ｐＨが６〜８、
粘度が５０〜１０００ｍＰａ・ｓであり、かつ、
水で３倍に希釈した際の希釈液の粘度が５０〜１０００ｍＰａ・ｓである請求項１〜４のいずれかに記載の液体洗浄剤組成物。
【発明の詳細な説明】
【技術分野】
【０００１】
本発明は、濃縮型の液体洗浄剤組成物に関する。
【背景技術】
【０００２】
従来、食器、厨房器具、野菜、果物等を洗浄するために使用される食器用洗浄剤は、液体状のものが主流である。さらに、業務用の食器用洗剤を中心に、環境への負荷の観点から、高濃度洗剤を水で薄めて使用する濃縮型の液体洗浄剤組成物が求められている。
【０００３】
このように、従来の洗浄剤と比較して成分濃度が高く、使用時に希釈して用いられる洗浄剤組成物として、例えば特許文献１では、特定の非イオン界面活性剤２種とステアリン酸を含む洗浄剤組成物が開示されている。
【先行技術文献】
【特許文献】
【０００４】
【特許文献１】特開２００４−０３５５７６号公報
【発明の概要】
【発明が解決しようとする課題】
【０００５】
しかしながら、特許文献１に記載された濃縮型液体洗浄剤組成物では、水によって希釈した場合に粘度が急激に低下し、スポンジ等から流出しやすい。そのため、使用者は適切な洗浄力を確保するために規定量を上回る量の洗浄剤組成物を使用しがちであり、洗浄にかかるコストが増加することや、排水トラブル・水質汚染等の原因となることがあった。
【０００６】
そのため、このような濃縮型の液体洗浄剤組成物においては、希釈後に使用に適した粘度を有することが望ましい。また、製造時の作業性を考慮すると濃縮型の液体洗浄剤組成物自身の粘度が高すぎないことが望ましい。
さらに、液体洗浄剤組成物は、分離や白濁が生じない、透明外観を有することが望まれる。
【０００７】
本発明は、上記の問題を解決するためになされたものであり、製造時の作業性が良好な液体洗浄剤組成物であって、希釈前後で適度な粘度と透明外観を有する濃縮型の液体洗浄剤組成物を提供することを目的とする。
【課題を解決するための手段】
【０００８】
上記目的を達成するために、本発明の液体洗浄剤組成物は、濃縮型の液体洗浄剤組成物であって、（Ａ）一般式（１）で表される化合物０．５〜５重量％と、（Ｂ）陰イオン界面活性剤１０〜４０重量％と、（Ｃ）両性界面活性剤及び非イオン界面活性剤からなる群より選択される少なくとも一種を合計で０．５〜１０重量％と、（Ｄ）可溶化剤０．１〜１５重量％とを必須成分として含有することを特徴とする。
【０００９】
【化１】
2015166409.tif 000002
【００１０】
式中、Ｒは炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。
【００１１】
本発明の液体洗浄剤組成物は、（Ａ）成分を０．５〜５重量％含有する。（Ａ）成分の含有量が０．５重量％未満であると、希釈時に粘度が低くなりすぎたり、泡立ち性が低下する。また、５重量％を超えると、液体洗浄剤組成物が濁り、外観を損ねる。
なお、本明細書における各成分の濃度（重量％）は、特に断りがない限り液体洗浄剤組成物中における各成分の純分での濃度として定める。
【００１２】
本発明の液体洗浄剤組成物は、上記一般式（１）におけるＲが炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。このような条件を満たした場合、希釈前後において液体洗浄剤組成物の粘度を好適に保つことができる。
【００１３】
本発明の液体洗浄剤組成物は、（Ｂ）成分を１０〜４０重量％含有する。（Ｂ）成分の含有量が１０重量％未満であると、洗浄力や泡立ち性が低下する。また、４０重量％を超えると、液体洗浄剤組成物が濁り、外観を損ねる。
【００１４】
本発明の液体洗浄剤組成物は、（Ｃ）成分を０．５〜１０重量％含有する。（Ｃ）成分の含有量が０．５重量％未満であると、希釈時の粘度が低くなりすぎる。また、１０重量％を超えると、液体洗浄剤組成物が濁り、外観を損ねる。
【００１５】
本発明の液体洗浄剤組成物は、（Ｄ）成分を０．１〜１５重量％含有する。（Ｄ）成分の含有量が０．１重量％未満であると、他の成分が充分に溶解しないため、液体洗浄剤組成物が濁り、外観を損ねる。さらに、他の成分が充分に溶解していないため、希釈時の粘度低下、泡立ち性の低下などを引き起こす。また、１５重量％を超えた場合であっても、他の成分を溶解させる能力は向上しないため、製造コストの観点から過剰な添加は好ましくない。
【００１６】
以上の条件を満たすことで、本発明の液体洗浄剤組成物は、製造時の作業性が良好で、かつ、希釈前後で適度な粘度と透明外観を有する濃縮型の液体洗浄剤組成物となる。そのため、保管時に成分が分離して性能が低下することや、白濁等によって美観を損ねることがなく、使用する際に洗浄剤がスポンジ等から流れ落ちにくくなり、スポンジ等に含まれる洗浄剤濃度を高く保つことができる。
なお、本発明の液体洗浄剤組成物は、希釈していない原液のまま洗浄剤として使用することもできる。
【００１７】
本発明の液体洗浄剤組成物は、上記（Ｂ）陰イオン界面活性剤が、アルキルベンゼンスルホン酸塩、α−スルホ脂肪酸エステル塩、アルカンスルホン酸塩、α−オレフィンスルホン酸塩、アルキル硫酸塩、アルキルスルホコハク酸塩、ポリオキシアルキレンアルキルエーテル硫酸エステル塩、ポリオキシアルキレンアルケニルエーテル硫酸エステル塩、ポリオキシアルキレンアルキルエーテルカルボン酸塩及びポリオキシアルキレンアルケニルエーテルカルボン酸塩からなる群より選択された少なくとも一種であることが好ましい。（Ｂ）成分が上記化合物であると、液体洗浄剤組成物の洗浄力をさらに向上させることができる。
【００１８】
本発明の液体洗浄剤組成物は、上記（Ｃ）両性界面活性剤及び非イオン界面活性剤からなる群から選択される少なくとも一種が、炭素数８〜１８のアルキルアミドプロピルアミンオキサイド、炭素数８〜１８のアルキルアミンオキサイド、炭素数８〜１８のアルキルアミドプロピルベタイン、炭素数８〜１８のアルキルベタイン及びアルキル（ポリ）グルコシドからなる群から選択される少なくとも一種であることが好ましい。（Ｃ）成分が上記化合物であると、泡立ち性及び泡保持性を向上させることができ、さらに、希釈時の粘度を向上させることができる。
【００１９】
本発明の液体洗浄剤組成物は、上記（Ｄ）可溶化剤が、キシレンスルホン酸、トルエンスルホン酸、クメンスルホン酸、安息香酸、クエン酸、リンゴ酸、酒石酸、乳酸、炭素数６〜１０の直鎖脂肪族カルボン酸、炭素数６〜１０の分岐脂肪族カルボン酸及びこれらの塩からなる群から選択される少なくとも一種であることが好ましい。（Ｄ）成分が上記化合物であると、希釈時の粘度を低下させづらく、さらに他成分の可溶化能力が高いため液体洗浄剤組成物の透明外観を維持しやすくなる。
【００２０】
本発明の液体洗浄剤組成物は、ｐＨが６〜８、粘度が５０〜１０００ｍＰａ・ｓであり、かつ、水で３倍に希釈した際の希釈液の粘度が５０〜１０００ｍＰａ・ｓであることが好ましい。ｐＨが上記範囲であると、食品衛生法に基づく食品、添加物等の規格基準（昭和３４年１２月２８日、厚生省告示第３７０号）で定められるｐＨを満足することができる。また希釈前の粘度が上記範囲であると、製造時に取り扱いやすい。一方、希釈前後の粘度が上記範囲であると、原液又は希釈後の洗浄剤組成物を使用する際にスポンジ等から流れ落ちにくくなり、スポンジ等に含まれる洗浄剤濃度を高く保つことができる。
【発明の効果】
【００２１】
本発明の液体洗浄剤組成物は、製造時の作業性が良好であって、希釈前後で適度な粘度を有する濃縮型の液体洗浄剤組成物となる。
【発明を実施するための形態】
【００２２】
以下、本発明について具体的に説明する。しかしながら、本発明は、以下の実施形態に限定されるものではなく、本発明の要旨を変更しない範囲において適宜変更して適用することができる。
【００２３】
まず、本発明の液体洗浄剤組成物について説明する。
本発明の液体洗浄剤組成物は、濃縮型の液体洗浄剤組成物であって、（Ａ）一般式（１）で表される化合物０．５〜５重量％と、（Ｂ）陰イオン界面活性剤１０〜４０重量％と、（Ｃ）両性界面活性剤及び非イオン界面活性剤からなる群より選択される少なくとも一種を合計で０．５〜１０重量％と、（Ｄ）可溶化剤０．１〜１５重量％とを必須成分として含有することを特徴とする。
【化２】
2015166409.tif 000003
【００２４】
式中、Ｒは炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。
【００２５】
上記一般式（１）におけるＲとしては、炭素数が６〜１８のアルキル基又はアルケニル基であり、炭素数が６〜１６のアルキル基又はアルケニル基であることが好ましく、炭素数７〜１４のアルキル基又はアルケニル基であることがより好ましい。
また、上記一般式（１）におけるＲとして、天然油脂由来のアルキル基、例えば、炭素数６〜１８のヤシ油脂肪酸由来のアルキル基を用いてもよい。
【００２６】
炭素数６〜１８のアルキル基としては、例えばｎ−ヘキシル基、ｓ−ヘキシル基、ｔ−ヘキシル基、イソヘキシル基、ｎ−ヘプチル基、ｓ−ヘプチル基、ｔ−ヘプチル基、イソヘプチル基、ｎ−オクチル基、ｓ−オクチル基、ｔ−オクチル基、イソオクチル基、ｎ−ノニル基、ｓ−ノニル基、ｔ−ノニル基、イソノニル基、ｎ−デシル基、ｓ−デシル基、ｔ−デシル基、イソデシル基、ｎ−ウンデシル基、ｓ−ウンデシル基、ｔ−ウンデシル基、イソウンデシル基、ｎ−ドデシル基、ｓ−ドデシル基、ｔ−ドデシル基、イソドデシル基、ｎ−トリデシル基、ｓ−トリデシル基、ｔ−トリデシル基、イソトリデシル基、ｎ−テトラデシル基、ｓ−テトラデシル基、ｔ−テトラデシル基、イソテトラデシル基、ｎ−ペンタデシル基、ｓ−ペンタデシル基、ｔ−ペンタデシル基、イソペンタデシル基、ｎ−ヘキサデシル基、ｓ−ヘキサデシル基、ｔ−ヘキサデシル基、イソヘキサデシル基、ｎ−ヘプタデシル基、ｓ−ヘプタデシル基、ｔ−ヘプタデシル基、イソヘプタデシル基、ｎ−オクタデシル基、ｓ−オクタデシル基、ｔ−オクタデシル基、イソオクタデシル基等が挙げられる。これらのうち、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基が好ましく、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基がより好ましい。
【００２７】
炭素数６〜１８のアルケニル基としては、例えば、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基等が挙げられる。これらのうち、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基が好ましく、ヘプテニル基、オクテニル基、ノネニル基、デセニル基、ウンデセニル基、ドデセニル基、トリデセニル基、テトラデセニル基がより好ましい。
【００２８】
炭素数２〜４の直鎖又は分岐鎖を有するオキシアルキレン基としては、オキシエチレン基、オキシプロピレン基、オキシブチレン基などが挙げられる。
（Ａ１Ｏ）ｍ及び（Ａ２Ｏ）ｎはそれぞれ、オキシエチレン基のみの繰返しでもよく、オキシプロピレン基のみの繰返しでもよく、オキシブチレン基のみの繰返しでもよく、これらが混在していてもよい。これらの中でも、Ａ１Ｏ及びＡ２Ｏとしてはオキシエチレン基のみの繰返し及びオキシプロピレン基のみの繰返しが好ましく、オキシエチレン基のみの繰返しがより好ましい。
オキシエチレン基、オキシプロピレン基、オキシブチレン基が混在している場合、オキシエチレン基、オキシプロピレン基、オキシブチレン基がランダム状に繰り返されていてもよく、ブロック状に繰り返されていてもよい。
【００２９】
本発明の液体洗浄剤組成物においては、上記一般式（１）におけるｍ及びｎは独立して０〜５の数であり、０〜４であることが好ましく、０〜３であることがさらに好ましく、０〜２であることが特に好ましい。また、ｍ及びｎの合計は、１〜５の数であり、１〜４であることが好ましく、１〜３であることがさらに好ましい。
【００３０】
上記（Ａ）成分は、本発明の液体洗浄剤組成物中に０．５〜５重量％含有される。（Ａ）成分の含有量としては、０．５〜４重量％であることがより好ましく、１〜４重量％であることがさらに好ましい。
（Ａ）成分が複数種類含まれる場合、上記含有量は、各（Ａ）成分の含有量の合計として定める。
【００３１】
本発明の洗浄剤組成物は、（Ｂ）陰イオン界面活性剤を１０〜４０重量％含む。
上記（Ｂ）成分としては、アルキルベンゼンスルホン酸塩、α−スルホ脂肪酸エステル塩、アルカンスルホン酸塩、α−オレフィンスルホン酸塩、アルキル硫酸塩、アルキルスルホコハク酸塩、ポリオキシアルキレンアルキルエーテル硫酸エステル塩、ポリオキシアルキレンアルケニルエーテル硫酸エステル塩、ポリオキシアルキレンアルキルエーテルカルボン酸塩及びポリオキシアルキレンアルケニルエーテルカルボン酸塩からなる群より選択された少なくとも一種であることが好ましい。
特に、濃縮型の液体洗浄剤組成物の調製に適しているという観点から、アルキルベンゼンスルホン酸塩（ＡＢＳ）、アルカンスルホン酸塩（ＳＡＳ）、α−オレフィンスルホン酸塩（ＡＯＳ）、アルキル硫酸塩（ＡＳ）、ポリオキシエチレンアルキルエーテル硫酸エステル塩（ＡＥＳ）、及び、ポリオキシエチレンアルケニルエーテル硫酸エステル塩（ＡＥＳ）からなる群より選択された少なくとも一種であることが好ましい。
【００３２】
塩としては、例えば、カリウム、ナトリウム等のアルカリ金属の塩、マグネシウム、カルシウム等のアルカリ土類金属の塩、モノエタノールアミン、ジエタノールアミン、トリエタノールアミン等のアミン類等を挙げることができる。これらの中では、アルカリ金属の塩が好ましく、経済性の点からナトリウム塩がより好ましい。
【００３３】
アルキルベンゼンスルホン酸塩（ＡＢＳ）としては、直鎖アルキルベンゼンスルホン酸塩（ＬＡＳ）であることが好ましく、例えば、炭素数８〜１８の直鎖アルキルベンゼンスルホン酸ナトリウム、炭素数８〜１８の直鎖アルキルベンゼンスルホン酸カリウム、炭素数８〜１８の直鎖アルキルベンゼンスルホン酸アンモニウム、炭素数８〜１８の直鎖アルキルベンゼンスルホン酸トリエタノールアミン、炭素数８〜１８の直鎖アルキルベンゼンスルホン酸ジエタノールアミン、炭素数８〜１８の直鎖アルキルベンゼンスルホン酸モノエタノールアミン等が挙げられる。特に、炭素数１２の直鎖アルキルベンゼンスルホン酸ナトリウムであることが好ましい。これらは、単独で用いても、２種以上を組み合わせてもよい。
【００３４】
α−スルホ脂肪酸エステル塩としては、脂肪酸残基の炭素数が８〜１８であるα−スルホ脂肪酸エステル塩等が挙げられる。特に、脂肪酸残基の炭素数が１６のα−スルホ脂肪酸エステル塩であることが好ましい。これらは、単特で用いても、２種以上を組み合わせて用いてもよい。
【００３５】
アルカンスルホン酸塩（ＳＡＳ）としては、炭素数８〜１８の２級アルカンスルホン酸ナトリウム、炭素数８〜１８の２級アルカンスルホン酸カリウム等が挙げられる。特に、炭素数１４〜１６の２級アルカンスルホン酸ナトリウムであることが好ましい。これらは、単独で用いても、２種以上を組み合わせて用いてもよい。
【００３６】
α−オレフィンスルホン酸塩（ＡＯＳ）としては、炭素数８〜１８のα−オレフィンスルホン酸ナトリウム、炭素数８〜１８のα−オレフィンスルホン酸カリウム等が挙げられる。特に、炭素数１４のα−オレフィンスルホン酸ナトリウムであることが好ましい。これらは、単独で用いても、２種以上を組み合わせて用いてもよい。
【００３７】
アルキル硫酸塩（ＡＳ）としては、炭素数８〜１８のアルキル硫酸ナトリウム、炭素数８〜１８のアルキル硫酸カリウム等が挙げられる。特に、ドデシル硫酸ナトリウムであることがより好ましい。これらは、単独で用いても、２種以上を組み合わせて用いてもよい。
【００３８】
アルキルスルホコハク酸塩としては、炭素数８〜１８のアルキルスルホコハク酸ナトリウム、炭素数８〜１８のポリオキシエチレンアルキルスルホコハク酸ナトリウム等が挙げられる。特に、ポリオキシエチレンスルホコハク酸ラウリル二ナトリウムであることがより好ましい。これらは、単独で用いても、２種以上を組み合わせて用いてもよい。
【００３９】
ポリオキシアルキレンアルキルエーテル硫酸エステル塩及びポリオキシアルキレンアルケニルエーテル硫酸エステル塩としては、ポリオキシエチレンアルキルエーテル硫酸エステル塩（ＡＥＳ）、ポリオキシエチレンアルケニルエーテル硫酸エステル塩（ＡＥＳ）等が挙げられる。
特に、ポリオキシエチレンラウリルエーテル硫酸ナトリウム、ポリオキシエチレントリデシルエーテル硫酸ナトリウムであることがより好ましい。これらは、単独で用いても、２種以上を組み合わせて用いてもよい。
【００４０】
ポリオキシアルキレンアルキルエーテルカルボン酸塩及びポリオキシアルキレンアルケニルエーテルカルボン酸塩としては、ポリオキシエチレンアルキルエーテルカルボン酸塩、ポリオキシエチレンアルケニルエーテルカルボン酸塩等が挙げられる。
特に、ポリオキシエチレンラウリルエーテルカルボン酸ナトリウム、ポリオキシエチレントリデシルエーテルカルボン酸ナトリウムであることがより好ましい。これらは、単独で用いても、２種以上を組み合わせて用いてもよい。
【００４１】
上記（Ｂ）成分を２種以上組み合わせて用いる場合の好ましい組み合わせとしては、ポリオキシエチレンアルキルエーテル硫酸エステル塩（ＡＥＳ）、α−オレフィンスルホン酸塩（ＡＯＳ）及びアルカンスルホン酸塩（ＳＡＳ）の組み合わせ、α−オレフィンスルホン酸塩（ＡＯＳ）及びアルカンスルホン酸塩（ＳＡＳ）の組み合わせ、ポリオキシエチレンアルキルエーテル硫酸エステル塩（ＡＥＳ）及びアルカンスルホン酸塩（ＳＡＳ）の組み合わせが挙げられる。これらの組み合わせの中でも、ポリオキシエチレンアルキルエーテル硫酸エステル塩（ＡＥＳ）、アルカンスルホン酸塩（ＳＡＳ）及びαオレフィンスルホン酸塩（ＡＯＳ）の組み合わせ、ポリオキシエチレンアルキルエーテル硫酸エステル塩（ＡＥＳ）及びアルカンスルホン酸塩（ＳＡＳ）の組み合わせがより好ましい。
【００４２】
上記（Ｂ）成分の含有量は、１０〜４０重量％であり、１０〜３５重量％であることが好ましく、１５〜３５重量％であることがさらに好ましい。
（Ｂ）成分が複数種類含まれる場合、上記含有量は、各（Ｂ）成分の含有量の合計として定める。
【００４３】
本発明の洗浄剤組成物は、（Ｃ）両性界面活性剤及び非イオン界面活性剤からなる群から選択される少なくとも１種を合計で０．５〜１０重量％含む。
（Ｃ）両性界面活性剤及び非イオン界面活性剤からなる群から選択される少なくとも一種としては、炭素数８〜１８のアルキルアミドプロピルアミンオキサイド、炭素数８〜１８のアルキルアミンオキサイド、炭素数８〜１８のアルキルアミドプロピルベタイン、炭素数８〜１８のアルキルベタイン及びアルキル（ポリ）グルコシドからなる群から選択される少なくとも一種であることが好ましい。これらは、単独で用いても、２種以上を組み合わせて用いてもよい。
なお、脂肪酸モノエタノールアミド及び脂肪酸ジエタノールアミド等の脂肪酸アルカノールアミドも両性界面活性剤及び非イオン界面活性剤に含まれるが、脂肪酸モノエタノールアミドは、常温で固体であるために製造時の作業性が悪いという問題があり、また、脂肪酸ジエタノールアミドは、発がん性物質であるニトロソアミンを生成する可能性が懸念されている。そのため、上記（Ｃ）両性界面活性剤及び非イオン界面活性剤としては、脂肪酸アルカノールアミドを含まないことが好ましい。
なお、本明細書における非イオン界面活性剤は、（Ａ）一般式（１）で表される化合物を含まない概念である。
【００４４】
上記（Ｃ）成分の含有量は合計で０．５〜１０重量％であり、０．５〜８重量％であることが好ましく、１〜８重量％であることがより好ましい。
（Ｃ）成分が複数種類含まれる場合、上記含有量は、各（Ｃ）成分の含有量の合計として定める。
【００４５】
本発明の液体洗浄剤組成物は、（Ｄ）可溶化剤０．１〜１５重量％を含む。
上記（Ｄ）成分としては、キシレンスルホン酸、トルエンスルホン酸、クメンスルホン酸、安息香酸、クエン酸、リンゴ酸、酒石酸、乳酸、炭素数６〜１０の直鎖脂肪族カルボン酸、炭素数６〜１０の分岐脂肪族カルボン酸及びこれらの塩からなる群から選択される少なくとも一種であることが好ましい。これらは、単独で用いても、２種以上を組み合わせて用いてもよい。特に、安息香酸ナトリウムであることがより好ましい。
（Ｄ）成分が複数種類含まれる場合、上記含有量は、各（Ｄ）成分の含有量の合計として定める。
【００４６】
本発明の液体洗浄剤組成物には、所望のｐＨに調整するため、（Ｅ）成分としてｐＨ調整剤が含まれていてもよい。
上記（Ｅ）成分としては、水酸化ナトリウム、水酸化カリウム等のアルカリ金属水酸化物、モノエタノールアミン、ジエタノールアミン、トリエタノールアミン等のアルカノールアミン、炭酸ナトリウム、炭酸水素ナトリウム、炭酸カリウム、炭酸水素カリウム等の炭酸塩、オルソケイ酸ナトリウム、メタケイ酸ナトリウム、オルソケイ酸カリウム、メタケイ酸カリウム等のケイ酸塩、リン酸ナトリウム、リン酸水素ナトリウム、リン酸カリウム、リン酸水素カリウム等のリン酸塩等が挙げられる。これらは、単独で用いても、２種以上を組み合わせて用いてもよい。
【００４７】
本発明の液体洗浄剤組成物には、さらに、水が含まれていてもよい。
上記水としては、水道水、蒸留水、純水又はイオン交換水等が挙げられる。これらは、単独で用いても、２種以上を組み合わせて用いてもよい。特に、不純物の少なさ及び経済性の点からイオン交換水であることが好ましい。
【００４８】
上記水は、本発明の液体洗浄剤組成物において液体洗浄剤組成物を構成する各成分に由来する結晶水や水溶液の形で含まれる水と、その他の外から加えられる水との総和であり、組成物全体が１００重量％となるようにバランス量が配合される。
【００４９】
本発明の液体洗浄剤組成物は、さらに有機溶剤を含んでいてもよい。
有機溶剤としては、１価アルコール類又は多価アルコール類を好適に用いることができ、例えば、メタノール、エタノール、１−プロパノール、２−プロパノール、１−ブタノール、２−ブタノール、２−メトキシエタノール、２−エトキシエタノール、エチレングリコール、プロピレングリコール、ジプロピレングリコール、１，４−ブタンジオール、１，６−ヘキサンジオール、グリセリン、ポリエチレングリコール、ポリプロピレングリコール等が挙げられる。特に、エタノール、プロピレングリコール、グリセリン、ポリエチレングリコール、ポリプロピレングリコールであることが好ましい。これらは、単独で用いても、２種以上を組み合わせて用いてもよい。
【００５０】
有機溶剤を含むと濃縮型の液体洗浄剤組成物の粘度が高くなり過ぎない範囲に抑えることが容易になり、製造時の作業性がより向上する。また、液体洗浄剤組成物の透明外観を維持しやすくなり、製造時、保管時に成分の分離が起こりにくくなる。
【００５１】
有機溶剤の含有量は１〜１５重量％であることが好ましく、２〜１０重量％であることがより好ましい。有機溶剤が複数種類含まれる場合、上記含有量は、各有機溶剤の含有量の合計として定める。
【００５２】
本発明の液体洗浄剤組成物は、ｐＨが６〜８であることが好ましい。
ｐＨが上記範囲であると、食品衛生法に基づく食品、添加物等の規格基準（昭和３４年１２月２８日、厚生省告示第３７０号）で定められるｐＨを満足することができる。
なお、ｐＨは、ＪＩＳ  Ｚ  ８８０２に記載の方法により測定することができる。
【００５３】
本発明の液体洗浄剤組成物は濃縮型の液体洗浄剤組成物であるが、希釈前の液体洗浄剤組成物の粘度（以下、原液の粘度ともいう）として、粘度が５０〜１０００ｍＰａ・ｓであることが好ましく、５０〜６５０ｍＰａ・ｓであることがより好ましい。
原液の粘度が５０〜１０００ｍＰａ・ｓであると、液体洗浄剤組成物の粘度が適度な範囲となり、製造時の作業性が向上する。原液の粘度が５０ｍＰａ・ｓ未満であると、洗浄剤がスポンジ等から流れ落ち易くなる場合がある。また、原液の粘度が１０００ｍＰａ・ｓを超えると、製造時の作業性に劣る場合がある。
なお、液体洗浄剤組成物の粘度の測定は、ＪＩＳ  Ｚ  ８８０３  に準拠し、Ｅ型粘度計を用いて行うことができる。
【００５４】
本発明の液体洗浄剤組成物は、水で３倍に希釈した際の希釈液の粘度が５０〜１０００ｍＰａ・ｓとなることが好ましい。希釈液の粘度が上記範囲内であると、使用の際に、希釈液がスポンジ等から流れ落ちにくくなり、スポンジ等に含まれる洗浄剤濃度を高く保つことができる。
希釈液の粘度が５０ｍＰａ・ｓ未満であると、希釈液がスポンジ等から流れ落ち易くなる場合がある。また、希釈液の粘度が１０００ｍＰａ・ｓを超えると、プッシュボトル等の容器からの吐出に悪影響を与えることがある。
【００５５】
本発明の液体洗浄剤組成物には、さらに、キレート剤が含まれていてもよい。
キレート剤としては、特に限定されるものではないが、アミノカルボン酸系、リン酸系、ポリアクリル酸、アクリル酸・マレイン酸共重合体類及びエーテルカルボン酸塩等のものから選択される１又は２以上のものを使用することができる。
アミノカルボン酸系としては、ジエチレントリアミン五酢酸（ＤＴＰＡ）、エチレンジアミン四酢酸（ＥＤＴＡ）、ニトリロ三酢酸（ＮＴＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）あるいはこれらの塩等が挙げられる。キレート剤が含まれる場合、配合量は０．１〜１．０重量％であることが好ましい。
【００５６】
そして、本発明の液体洗浄剤組成物には、任意成分として、香料、染料、防腐剤、金属腐食抑制剤、消泡剤、高分子化合物、又は、曇点向上剤等を含有していてもよい。
【００５７】
次に、本発明の液体洗浄剤組成物の製造方法の一例について説明する。
本発明の液体洗浄剤組成物は、（Ａ）成分、（Ｂ）成分、（Ｃ）成分及び（Ｄ）成分と、必要に応じて、（Ｅ）成分、水等の補助成分とを添加し、ミキサーを用いて攪拌することにより製造することができる。
【００５８】
本発明の液体洗浄剤組成物は、水で２〜５倍、より望ましくは２〜４倍に希釈することにより希釈液体洗浄剤を調製して使用することが好ましい。
【００５９】
次に、本発明の液体洗浄剤組成物を用いた洗浄方法の一例について説明する。
本発明の液体洗浄剤組成物を用いた被洗浄物の洗浄方法は、上記液体洗浄剤組成物を水で所定の倍率に希釈することで希釈液体洗浄剤とし、該希釈液体洗浄剤を用いて被洗浄物の洗浄を行うことを特徴とする。
【００６０】
被洗浄物は、特に限定されるものではなく、例えば、食器や調理器具等の台所用具、厨房用具、野菜、果物等が挙げられる。
また、洗浄方法も特に限定されるものではなく、被洗浄物に応じて、手洗い、漬け置き洗い等の方法を定めればよい。
【実施例】
【００６１】
以下、本発明をより具体的に説明する実施例を示す。なお、本発明はこれらの実施例のみに限定されるものではない。
【００６２】
（実施例１〜７、比較例１〜７）
表１及び２に示す配合で、（Ａ）〜（Ｅ）成分及び水を混合して液体洗浄剤組成物１０００ｇを調製した。そして、液体洗浄剤組成物１０００ｇのうち５００ｇを、透明なプラスチックフィルム製のパウチに入れて保存し、パウチ内の液体を目視で確認して、液体が透明かどうかを確認した。結果を表１〜表２に示す。残りの５００ｇは、後述する３倍希釈液の作製に用いた。
なお、表１〜表２における各成分の配合量は、各成分を含む溶液としての配合量ではなく、各成分の純分を示している。
表１〜表２における各成分の詳細は以下のとおりである。
（Ａ−１）：川研ファインケミカル（株）社製  フォーマイト２Ｅ８（Ｒが炭素数８のアルキル基であり、Ａ１Ｏ及びＡ２Ｏが共にオキシエチレン基であり、ｍ＋ｎが１．９）
（Ａ−２）：川研ファインケミカル（株）社製  ビスコファインＥ２Ｃ（Ｒが炭素数８〜１８のヤシ油アルキル基であり、Ａ１Ｏ及びＡ２Ｏが共にオキシエチレン基であり、ｍ＋ｎが２．０）
（Ａ’−１）：一般式（１）中、Ｒが８〜１８のヤシ油アルキル基であり、ｍ＋ｎが９である化合物
（Ｂ−１）：花王（株）社製  エマール２７０Ｊ（ポリオキシエチレンラウリルエーテル硫酸ナトリウム）
（Ｂ−２）：第一工業製薬（株）社製  ハイテノール３３０Ｔ（ポリオキシエチレントリデシルエーテル硫酸ナトリウム）
（Ｂ−３）：クラリアントジャパン（株）社製  Ｈｏｓｔａｐｕｒ  ＳＡＳ  ９３（第２級アルカンスルホン酸ナトリウム）
（Ｂ−４）：ライオン（株）社製  リポランＬＪ−４４１（α−オレフィンスルホン酸ナトリウム）
（Ｂ−５）：テイカ（株）社製  テイカパワーＬ１２４（直鎖アルキルベンゼンスルホン酸）
（Ｃ−１）：クラリアントジャパン（株）社製  Ｇｅｎａｍｉｎｏｘ  ＡＰ（ラウリルアミドプロピルジメチルアミンオキシド）
（Ｃ−２）：花王（株）社製  マイドール１２（ラウリルグリコシド）
（Ｃ−３）：松本油脂製薬（株）社製  マーポビスターＭＡＰ（ミリスチン酸アミドプロピルベタイン）
（Ｄ−１）：（株）伏見製薬所製  安息香酸
（Ｄ−２）：扶桑化学工業（株）社製  クエン酸
（Ｅ−１）：東ソー（株）社製  水酸化ナトリウム水溶液４９％
（Ｅ−２）：ダウ・ケミカル日本（株）社製  トリエタノールアミン
【００６３】
（３倍希釈液の作製）
パウチに保存しなかった液体洗浄剤組成物５００ｇを希釈用容器に量り取り、水１０００ｇを投入して攪拌し、希釈液体洗浄剤（３倍希釈液）を得た。
【００６４】
【表１】
2015166409.tif 000004
【００６５】
【表２】
2015166409.tif 000005
【００６６】
（ｐＨ測定）
ｐＨメーター（（株）堀場製作所製、Ｄ−２１型）を用いて、各液体洗浄剤組成物（原液、２５℃）のｐＨを測定した。結果を表１〜表２に示した。
【００６７】
（粘度測定）
液体洗浄剤組成物の原液及び３倍希釈液について、粘度を測定した。粘度は、Ｅ型粘度計（東機産業（株）社製  ＶＩＳＣＯＭＥＴＥＲ  ＴＶ−２２）を用いて、２０℃において２０ｒｐｍの回転を付与して測定した。結果を表１〜表２に示した。
【００６８】
（泡立ち性試験）
泡立ち性試験は、ロスマイルス法（ＪＩＳ  Ｋ３３６２に準拠）を用いて、各液体洗浄剤組成物（洗浄剤組成物を水で希釈して洗浄剤組成物濃度を０．５０ｇ／Ｌに調整した希釈液）について５分後の泡立ち性を評価することにより行った。結果を表１〜表２に示す。
なお、５分後の泡立ち性試験の結果が１２０ｍｍ以上の場合を○、１２０ｍｍ未満の場合を×として評価した。
【００６９】
（洗浄力試験）
以下の手順により洗浄力試験を実施した。
まず、洗浄対象の汚れとして、大豆白絞油：牛脂＝１：１で混合した汚れを準備し、上記汚れ１ｍＬを試験用皿に一面に塗り広げ、一晩室温で放置した。
上記希釈液体洗剤を４．５ｇ含む洗浄液３Ｌを準備し、上記洗浄液を液温３０℃として、上記試験用皿を充分に温めた後、洗浄液を含んだスポンジで汚れを拭き取った。
そして、スポンジに付着した汚れを洗浄液中で揉み出した。
この操作を繰り返し、試験用皿に付着した汚れがスポンジで綺麗に拭き取れなくなるまでの皿の枚数を数えて、洗浄力を評価した。結果を表１〜表２に示した。
なお、汚れが綺麗に拭き取れた皿の枚数が３枚以上の場合を○、２枚以下の場合を×として評価した。
【００７０】
表１及び表２の結果から、実施例１〜７に係る洗浄剤組成物は、外観及び洗浄力が良好で、希釈前後において良好な粘度を示すことがわかった。
これに対して、（Ａ）成分が過剰な比較例１に係る洗浄剤組成物は、原液及び３倍希釈液が濁ってしまい、（Ａ）成分が欠けている比較例２に係る洗浄剤組成物は、３倍希釈液の粘度が不足していた。
また、（Ａ）成分のオキシアルキレン基の平均付加モル数の合計が５を超えている比較例３に係る洗浄剤組成物は、３倍希釈液の粘度が不足していた。
一方、（Ｂ）成分が過剰な比較例４に係る洗浄剤組成物は、原液が濁ってしまい、（Ｂ）成分が不足していた比較例５に係る洗浄剤組成物は、洗浄力及び起泡性が低かった。
さらに、（Ｃ）成分が過剰な比較例６に係る洗浄剤組成物は、原液が濁ってしまい、さらに起泡性も低く、（Ｃ）成分が欠けている比較例７に係る洗浄剤組成物は、洗浄力及び起泡性が低かった。
以上のことから、本発明に係る洗浄剤組成物は、充分な洗浄力及び起泡力を有し、希釈前後で適度な粘度を有することがわかった。